(57)【要約】【課題】本発明は、従来の課題を解消するために創案されたものであって、携帯電話のケース背面に大型の装飾物や小型の装飾物を離脱させることのない手法で取り付けることが出来、かつ装飾性に優れ、装飾耐久性に優れた装飾携帯電話ケースの形成方法を提供することを目的とする。【解決手段】本発明による装飾携帯電話ケースの形成方法は、携帯電話ケースの背面外縁に接着剤貯留凹部を形成し、接着剤の主剤と硬化剤との配合量を調整して硬化時間を決定する接着剤配合と、貯留凹部内に硬化時間を調整した接着剤を流し込み、接着剤の硬化前に大型装飾物を所定の位置に、大型装飾物の底面をケース背面に接触させて埋め込み、接着剤の硬化前、半流動状態時に、小型装飾物の表面装飾面が露出するよう流し込んだ接着剤厚み幅中に浮かせた状態で小型装飾物を取り付け、接着剤硬化後には装飾物が離脱不可状態で取り付けられたことを特徴とする。【選択図】      図１
2016087928.tif 000002
【特許請求の範囲】
【請求項１】
略箱型状をなす携帯電話ケースの背面外縁にケース背面を囲む様立ち上がる立ち上がり壁を設けて接着剤貯留凹部を形成する工程と、
接着剤の主剤と硬化剤との配合量を調整して硬化時間を決定する接着剤配合工程と、前記貯留凹部内に前記硬化時間を調整した接着剤を流し込む工程と、
前記接着剤の硬化前に、大型装飾物を所定の位置に、該大型装飾物の底面をケース背面に接触させて埋め込む工程と、
前記接着剤の硬化前、半流動状態時に、小型装飾物の表面装飾面が露出するよう前記流し込んだ接着剤厚み幅中に浮かせた状態で前記小型装飾物を取り付ける工程と、
を有し、前記接着剤硬化後には、前記装飾物が離脱不可状態で取り付けられた、
ことを特徴とする装飾携帯電話ケースの形成方法。
【発明の詳細な説明】
【技術分野】
【０００１】
本発明は、装飾携帯電話ケースの形成方法に関するものである。  
【背景技術】
【０００２】
近年、データ通信と通話の双方が可能とされた略長方形の板状をなす携帯電話が製造、販売されている。
そして、特に若者は該携帯電話の背面ケース表面に装飾を施し、その装飾された携帯電話を好んで使用している。
ここで、従来、行われている携帯電話のケース背面の装飾方法は、ケース背面に両面接着シートの一面側を貼着し、他面には、様々な装飾物を貼着して装飾するものが一般的であった。
【先行技術文献】
【特許文献】
【０００３】
【特許文献１】実用新案登録第３１８５１１０号公報
【発明の概要】
【発明が解決しようとする課題】
【０００４】
しかしながら、前記の様な装飾物の貼着方法であると、長時間の使用により接着剤が塗布してある接着面から装飾物が離脱するとの課題があった。
【０００５】
かくして、本発明は前記従来の課題を解消するために創案されたものであって、携帯電話のケース背面に大型の装飾物や小型の装飾物を離脱させることのない手法で取り付けることが出来、かつ装飾性に優れ、装飾耐久性に優れた装飾携帯電話ケースの形成方法を提供することを目的とするものである。
【課題を解決するための手段】
【０００６】
本発明による装飾携帯電話ケースの形成方法は、
略箱型状をなす携帯電話ケースの背面外縁にケース背面を囲む様立ち上がる立ち上がり壁を設けて接着剤貯留凹部を形成する工程と、
接着剤の主剤と硬化剤との配合量を調整して硬化時間を決定する接着剤配合工程と、前記貯留凹部内に前記硬化時間を調整した接着剤を流し込む工程と、
前記接着剤の硬化前に、大型装飾物を所定の位置に、該大型装飾物の底面をケース背面に接触させて埋め込む工程と、
前記接着剤の硬化前、半流動状態時に、小型装飾物の表面装飾面が露出するよう前記流し込んだ接着剤厚み幅中に浮かせた状態で前記小型装飾物を取り付ける工程と、
を有し、前記接着剤硬化後には、前記装飾物が離脱不可状態で取り付けられた、
ことを特徴とするものである。
【発明の効果】
【０００７】
本発明によれば、大型の装飾物や小型の装飾物を離脱させることのない手法により取り付けることが出来、装飾性に優れ、耐久性に優れた携帯電話ケースの形成方法を提供出来るとの優れた効果を奏する。
【発明を実施するための形態】
【０００８】
以下、本発明を図に示す実施例に基づいて説明する。
【０００９】
図において、符号１は、略箱型状をなす携帯電話ケースを示す。該携帯電話ケース１の背面外縁には、ケース背面を囲む様に立ち上がる立ち上がり壁２が設けられている。そして、前記ケース背面を囲む様に立ち上がる立ち上がり壁２によって、携帯電話ケース１の背面側に接着剤貯留凹部３が形成されるものとなる。ここで、前記立ち上がり壁２の高さについては、何ら限定はないが、通常は２ｍｍ程度とされており、大型の装飾物を多数取り付ける場合には、前記２ｍｍより高く形成することが考えられる。
【００１０】
また、この接着剤貯留凹部３を形成する立ち上がり壁２の作製については、携帯電話ケース１を作製する際、前記立ち上がり壁２も一体的に形成することが出来る。すなわち、前記立ち上がり壁２を成形できるよう金型を加工し、該金型などを使用して、射出成形法などにより前記立ち上がり壁２が一体的に形成された携帯電話ケース１が作製できるものとなる。
【００１１】
図において、符号４は接着剤を示す。該接着剤４は、例えば、接着剤主剤と硬化剤を２液混合して使用するタイプの接着剤４が使用される。具体的には、エポキシ樹脂、レジンが挙げられる。
【００１２】
ここで、接着剤主剤を８割、硬化剤を２割の配合割合にすると、約１２時間後に完全硬化するものとなる。また、前記主剤の割合を８割より少なくすると、硬化時間は短くなる。
この様に、接着主剤と硬化剤の配合割合を調整することにより、硬化時間を調整できる。硬化剤の配合割合を多くすれば硬化時間は短くなるのである。
【００１３】
本実施例では、接着剤主剤を８割、硬化剤を２割の配合割合にし、約１２時間後に硬化するものとした。
しかして、前記の様に配合した接着剤４を前記接着剤貯留凹部３内に流し込んだ。その厚みは、約２ｍｍ程度である。
【００１４】
その後、まだ、流し込んだ接着剤４が固まる前に、いわゆる大デコパーツと称される大型装飾物５を所定の位置に設置する。すなわち、大型装飾物５の底面をケース背面に接触させて載置していく。
【００１５】
上記のように、大型装飾物５を複数個、所定の位置に設置していくと、徐々に前記接着剤４が固まり、半流動体の状態となる。
この様な半流動体の状態になったとき、次に、いわゆる小デコパーツ、すなわち小型装飾物６を所定の位置に配置して埋め込み設置する。
この際、接着剤４は、半流動体の状態になっているため、小型装飾物６の底面がケース背面に接触しなくとも前記小型装飾物６が埋もれることなくセットし、取り付けることが出来る。
【００１６】
そして、約１２時間経過したとき、前記硬化剤４はほぼ固まり、セットした大、小の装飾物５，６は埋め込まれた状態で離脱できない状態で取り付けられることになる。
【００１７】
よって、従来と比較し、装飾物の装飾耐久性は格段に向上するものとなる。
【図面の簡単な説明】
【００１８】
【図１】本発明による携帯電話ケースを示す説明図である。
【図２】接着剤の混合比率を説明する説明図である。
【図３】携帯電話ケースに接着剤を貯留させた状態の説明図である。
【図４】装飾携帯電話ケースの説明図である。
【符号の説明】
【００１９】
１        携帯電話ケース
２        立ち上がり壁
３        接着剤貯留凹部
４        接着剤
５        大型装飾物
６        小型装飾物
【図１】
2016087928.tif 000003
【図２】
2016087928.tif 000004
【図３】
2016087928.tif 000005
【図４】
2016087928.tif 000006